(57)【要約】【課題】仮性包茎における亀頭冠部の露出器具における脱落を防止し、装着感、携帯利便性、実用性を改善して、柔軟性と脱落防止性を兼ね備え衛生的かつ安定的な長時間使用が可能な包茎用リングの提供を目的とする。【解決手段】  低硬度シリコーンゴム等の柔軟素材を使用し、円形素材をリング状に繰り抜く際に、繰り抜き部分の一部を切りはなさないことでリング部分と一体にして使用時にフラップ状となる形状を形成し、かつリングの外周部分に耳状の突起部を作ることで、フラップ部分と耳状部分の反発力によって包皮を安定的に固定しながら収縮時のリングの脱着を効果的に防止することを特徴とする。また、未使用時にはリングとフラップが一体になることでリング状には見えないことから、その使用目的が推定され難いため携帯等におけるプライベート情報の漏洩の不安も解消する。さらに、柔軟素材と特徴的な形状によって、使用時における非認識性も提供する。【選択図】図１
2010220987.tif 000002
【特許請求の範囲】
【請求項１】
亀頭冠部に装着する柔軟素材リングにフラップ部分と耳状部分を付加することにより、包皮の安定的な固定による亀頭部の安定的な露出と陰茎収縮時における脱落の防止を特徴とする陰茎用リング。
【請求項２】
リング部分とフラップ部分と耳状部分を成形とするによって、携帯利便性と簡単装着性を実現することを特徴とした陰茎用リング。
【請求項３】
柔軟素材による成形によって、未使用時には使用目的が推定し難い形状とすることで、保管時および携帯時の不安を払拭することを特徴とした陰茎用リング。
【発明の詳細な説明】
【技術分野】
【０００１】      本発明は、仮性包茎における亀頭冠部の露出器具に関する。
【背景技術】
【０００２】      仮性包茎に於ける亀頭を安定的に露出可能とする器具は、亀頭部の衛生を確保するためにも、また亀頭部の成長を促し知覚過敏を解消するためにも、長年に渡って研究されているテーマである。【０００３】      しかしながら、男子生殖器官が有する収縮性と柔軟性に対応し、収縮時と膨張時の両方において安定的に機能する亀頭冠部露出器具の開発は難しく、今日までに発明された下記の発明等では、収縮時の脱落や膨張時の圧迫感を解消することが困難であった。
【発明の開示】
【発明が解決しようとする課題】
【０００４】      本発明が解決しようとする課題は、既存の亀頭冠部露出器具では実現が困難であった装着安定性と装着時圧迫感の解消を実現しようとするものである。【０００５】      既存の仮性包茎亀頭部の露出器具は、リング状の形体か、もしくはリング状の内面に特殊素材を張り付けるか、またはリング状の一部を切断して弾力性を作り出そうとするものであった。【０００６】      しかしながら、単なるリング状からの発展形では男子生殖器の収縮時と膨張時の両時点においての快適な装着感と脱落防止を兼ね備えることは困難であった。【０００７】      すなわち、脱落防止に重点をおいて開発すると装着感が犠牲になり膨張時に圧迫感を感じる。【０００８】      一方、柔軟素材を用いるなど生殖器膨張時の装着圧迫感の解消に重点において開発すると収縮時に脱落するか、もしくは包皮が器具を乗り越える現象を招き易くなる。【０００９】      以上のような理由と男性器の形状の多様性から装着安定性と圧迫感の解消の高度な両立は困難であると考えられてきた。
【課題を解決するための手段】
【００１０】そこで本発明では、柔軟素材を次のような特殊な形状に成形することで本課題を解決するものである。【００１１】      特殊な形状とは、リング状の形体にフラップ（垂下蓋）状部分と耳状部分を付加することを特徴とする。【００１２】      すなわち、充分に硬度の低い柔軟素材を用いて、この柔軟素材をリング状に成形した外周部分には、リング状部分と一体になった耳状部分を付加し、リング状の内周部分にはリング状部分と一部分が一体となったフラップ状部分を付加することで、リング状部分を男性器の亀頭冠部に装着しながら、耳状部分が亀頭部分への包皮の被りを塞き止め、同時に亀頭部分にプラップ状部分を置いて器具を支持することによって、耳状部分とフラップ状部分が互い反発することで、圧迫感のない柔軟器具でありながらも、男性器収縮時においても耳状部分の倒れ込みを防止する効果が維持し、したがって、安定的な亀頭の露出および脱落のない安定した装着が可能となる。【００１３】      また、男性器膨張時においては柔軟素材による器具が抵抗なく伸張することで快適な装着感を維持する。【００１４】      なお、男性器膨張時には仮性包茎の特徴から自然亀頭露出となるか、または包皮の被りが軽微になることから耳状部分とフラップ状部分の反発力の効果がさらに大きくなる。【００１５】      リング状部分と耳状部分およびフラップ部分は、耳状部分とフラップ状部分による充分な反発力が確保できれば必ずしも一体成形である必要はなく、リング状部分に耳状部分およびフラップ状部分を接着または溶接したり、または結びつけたりしても良い。【００１６】      耳状部分にキャラクターを印刷したり、マークを刻印したり、その他の装飾を施したりしても良い。【００１７】      本発明における耳状部分は、包皮の被りを防止できればよく、したがって平面的な耳状でも良いし、球状、円錐状など立体状でも良く、また具体的な耳の形にデザインするなどしても良い。さらに、耳状部分を鍵状にし、耳状部分に硬度高い素材を用いるなどして被り込みの防止効果を高めても良い。【００１８】      本発明におけるフラップ状部分は、耳状部分の包皮の被り込みの防止効果を高め、これを支持することを目的として、帽子の庇のような形体で亀頭部に置くものある。したがって、耳状部分の倒れ込みを防止できる形状であれば良く、平面状の形体でも良いし、亀頭を覆う帽子状にしたり、亀頭よりも大きな形状としたり、亀頭よりも小さな形状としたり、立体的な形状としたりしても良い。【００１９】      フラップ部分にキャラクターを印刷したり、マークを刻印したり、その他の装飾を施したりしても良い。【００２０】      本発明は、耳状部分とフラップ部分の総合力による包皮の保持を特徴とするものである。【００２１】      したがって、本発明のリング状部分は、亀頭冠部への快適な装着を実現でき、かつ充分な柔軟性と収縮性を確保でき、かつ耳状部分とフラップ状部分を付加することが可能な素材であれば、リング状部分には特別な形状を必要としないことも本発明の特徴である。
【発明の効果】
【００２２】      本発明は、仮性包茎による劣等感の解消と亀頭部の衛生の確保を提供する。本発明によって開発される器具は、男性性器の膨張時と収縮時の両方においての快適な装着感と安定的な亀頭露出を可能にする。【００２３】      また、素材と形状による特徴から、入浴時にも排尿時時にも違和感なく使用可能であるため長時間の装着が可能となり、結果として、中程度よりも軽度の包茎においては包皮部分の効率的な矯正が期待できる。
【発明を実施するための最良の形態】
【００２４】      本発明を実施するための最良の形態は、リング状部分に図１に示すような２つの耳状部分と１つのフラップ状部分を付加することである。【００２５】      しかし耳状部分は１つでも良く、素材との兼ね合いによっては３つまたはそれ以上を配置してもよい。【００２６】      フラップ状部分は原型としてはリング状を成形する際の内径を繰り抜いた部分を利用することで良いが、フラップ部分をさらに小さく成形し、もしくは内径以上の大きさにするなどしても良い。【００２７】      本発明に使用する素材は、硬度の低い柔軟素材を用いるものであるが、使用感が確保できれば一部に硬度の高い素材を用いても良く、また将来において伸張時に低硬度となり、収縮時に高硬度となる素材が開発されればこれを用いても良い。【００２８】      本発明は、現時点では低硬度シリコーンゴムを使用することで実現可能である。低硬度シリコーンゴムとは硬度１０度以下のシリコーンゴムを指し、硬度５度から硬度１０度以内の低硬度シリコーンゴムを用いることで、人肌に類似した柔軟性と充分な伸縮性を確保することがでる。【００２９】      また前記通り、発明が解決しようとする課題である亀頭部の安定的な露出と装着安定性および装着時圧迫感の解消を実現できる素材であれば、硬度の異なるシリコーンゴムや、またはそれ以外の硬度の異なる素材を複合的に用いても良いし、また前記の通り、将来開発が期待される特殊な収縮特性を持つ素材を用いても良い。
【図面の簡単な説明】
【００３０】
【図１】本発明に係る包茎矯正具の平面図
【図２】本発明に係る包茎矯正具の明細図
【図３】本発明に係る包茎矯正具の使用状態図
【符号の説明】
【００３１】１  包茎矯正具
２  耳部分
３  切り込み
４  フラップ部分
５  リング部分
６  陰茎
７  亀頭
【図１】
2010220987.tif 000003
【図２】
2010220987.tif 000004
【図３】
2010220987.tif 000005